(57)【要約】【課題】防湿遮光袋を引き抜いて複数枚積重されたシート状写真感光材料を取り出す引き抜き特性を向上させることが可能である。【解決手段】最内層に設けられた遮光性物性と、滑剤と、酸化防止剤と、帯電防止剤とを含有するエチレン・α−オレフィン共重合体樹脂を主成分とする遮光性・滑性ポリオレフィン樹脂系フィルム層と、最外層に設けられたナイロンフィルム層と、遮光性・滑性ポリオレフィン樹脂系フィルム層とナイロンフィルム層との間に介在されたアルミニウム箔層とを有する写真感光材料包装材料１を用いてヒートシールにより袋状に形成された防湿遮光袋２１と、防湿遮光袋２１に収納された複数枚積重されたシート状熱現像写真感光材料２２とを有し、防湿遮光袋２１のヒートシール部２１ａが、防湿遮光袋２１の引き抜き方向に沿い、かつシート状熱現像写真感光材料２２の中央に対応して位置する。【選択図】図４
2005331850.tif 000002
【特許請求の範囲】
【請求項１】
最内層に設けられた遮光性物性と、滑剤と、酸化防止剤と、帯電防止剤とを含有するエチレン・α−オレフィン共重合体樹脂を主成分とする遮光性・滑性ポリオレフィン樹脂系フィルム層と、
最外層に設けられたナイロンフィルム層と、
前記遮光性・滑性ポリオレフィン樹脂系フィルム層と前記ナイロンフィルム層との間に介在されたアルミニウム箔層とを有する写真感光材料包装材料を用いてヒートシールにより袋状に形成された防湿遮光袋と、
前記防湿遮光袋に収納された複数枚積重されたシート状熱現像写真感光材料とを有し、
前記防湿遮光袋のヒートシール部が、前記防湿遮光袋の引き抜き方向に沿い、かつ前記シート状熱現像写真感光材料の中央に対応して位置することを特徴とする写真感光材料包装体。
【請求項２】
前記シート状熱現像写真感光材料が載置されるトレー状の保護部材を有することを特徴とする請求項１に記載の写真感光材料包装体。
【請求項３】
前記防湿遮光袋と前記保護部材との摩擦係数が、０．１３μＤ以上であることを特徴とする請求項２に記載の写真感光材料包装体。
【請求項４】
前記エチレン・α−オレフィン共重合体樹脂が、メタロセン触媒を用いて合成された樹脂、または、密度が０．９１５以下の超低密度オレフィン樹脂によって構成されていることを特徴とする請求項１乃至請求項３のいずれか１項に記載の写真感光材料包装体。
【発明の詳細な説明】
【技術分野】
【０００１】
この発明は、Ｘレイフィルム等の写真感光材料を包装する写真感光材料包装体に関するものである。
【背景技術】
【０００２】
このような写真感光材料包装体として、写真感光材料包装材料を用いてヒートシールにより袋状に形成された防湿遮光袋と、この防湿遮光袋に収納された複数枚積重されたシート状熱現像写真感光材料とを有するものがある。このような写真感光材料包装体に用いる写真感光材料包装材料として、実公昭６１−２０５９０号公報には、カーボンブラックを含むＨＤＰＥ樹脂フィルムを延伸倍率２．２〜４．２倍で一軸延伸し、延伸軸が４５〜９０度の角度で交叉するように２層以上貼り合わせたクロスラミネートフィルムが提案されている。また、特開２００１−１２５２２８号公報には、アルミニウム箔に接着剤層を用いて積層された二軸延伸ポリアミド樹脂フィルム層を持つ包装材料が提案されている。また、特許第２９４６４４４号公報には、写真性に悪影響を与える物質１％以下、酸化防止剤残留物０．００１〜３５重量％を含み、内面の摩擦係数が０．６以下であるバリアが提案されている。
【特許文献１】実公昭６１−２０５９０号公報（第１頁〜第５頁、図１〜図７）
【特許文献２】特開２００１−１２５２２８号公報（第１頁〜第４１頁、図１〜図９）
【特許文献３】特許第２９４６４４４号公報（第１頁〜第２３頁、図１〜図７）
【発明の開示】
【発明が解決しようとする課題】
【０００３】
ところで、特許文献１で提案された包装材料は、高価で、帯電防止性、ヒートシール適性、防湿性が不十分であった。特許文献２で提案された包装材料は、物理強度、その高い剛性により工場適性、そして保存性が不十分であった。特許文献３で提案された包装材料は、ヒートシールによる完全密封性が不可能であった、それに加え、写真感光材料の長期保存性が劣るものであった。また、これらのうちアルミニウム箔を層として有する写真感光材料包装材料を用いた防湿遮光袋は、引き抜いて複数枚積重されたシート状写真感光材料を取り出すが、この時の引き抜き性能が悪いものであった。
【０００４】
この発明は、以上の問題点を解決し、防湿遮光袋を引き抜いて複数枚積重されたシート状写真感光材料を取り出す引き抜き特性を向上させることが可能な写真感光材料包装体を提供することを目的としている。
【課題を解決するための手段】
【０００５】
前記課題を解決し、かつ目的を達成するために、この発明は、以下のように構成した。
【０００６】
請求項１に記載の発明は、最内層に設けられた遮光性物性と、滑剤と、酸化防止剤と、帯電防止剤とを含有するエチレン・α−オレフィン共重合体樹脂を主成分とする遮光性・滑性ポリオレフィン樹脂系フィルム層と、
最外層に設けられたナイロンフィルム層と、
前記遮光性・滑性ポリオレフィン樹脂系フィルム層と前記ナイロンフィルム層との間に介在されたアルミニウム箔層とを有する写真感光材料包装材料を用いてヒートシールにより袋状に形成された防湿遮光袋と、
前記防湿遮光袋に収納された複数枚積重されたシート状熱現像写真感光材料とを有し、
前記防湿遮光袋のヒートシール部が、前記防湿遮光袋の引き抜き方向に沿い、かつ前記シート状熱現像写真感光材料の中央に対応して位置することを特徴とする写真感光材料包装体である。
【０００７】
請求項２に記載の発明は、前記シート状熱現像写真感光材料が載置されるトレー状の保護部材を有することを特徴とする請求項１に記載の写真感光材料包装体である。
【０００８】
請求項３に記載の発明は、前記防湿遮光袋と前記保護部材との摩擦係数が、０．１３μＤ以上であることを特徴とする請求項２に記載の写真感光材料包装体である。
【０００９】
請求項４に記載の発明は、前記エチレン・α−オレフィン共重合体樹脂が、メタロセン触媒を用いて合成された樹脂、または、密度が０．９１５以下の超低密度オレフィン樹脂によって構成されていることを特徴とする請求項１乃至請求項３のいずれか１項に記載の写真感光材料包装体である。
【発明の効果】
【００１０】
前記構成により、この発明は、以下のような効果を有する。
【００１１】
請求項１に記載の発明によれば、防湿遮光袋がアルミニウム箔層を有する写真感光材料包装材料を用いてヒートシールにより袋状に形成され、この防湿遮光袋は、優れた防湿性、酸素バリア性を有する。また、防湿遮光袋に収納された複数枚積重されたシート状熱現像写真感光材料を取り出す際に、防湿遮光袋のヒートシール部が防湿遮光袋の引き抜き方向に沿い、かつシート状熱現像写真感光材料の中央に対応して位置することによって、防湿遮光袋の内面の摩擦係数の低減なし、また強度の低下なしで引き抜き特性を向上させることができる。
【００１２】
請求項２に記載の発明によれば、防湿遮光袋を引き抜きシート状熱現像写真感光材料を取り出す際に、シート状熱現像写真感光材料がトレー状の保護部材により保護される。
【００１３】
請求項３に記載の発明によれば、防湿遮光袋と保護部材との摩擦係数が、０．１３μＤ以上であり、滑剤が入りすぎないようにすることで、巻取り式により防湿遮光袋を引き抜くときに、滑剤の白粉発生を防止することができる。また、同様の理由でヒートシール後にシール部が時間を経ても滑剤の影響などで強度が落ちることを防止することができる。
【００１４】
請求項４に記載の発明によれば、エチレン・α−オレフィン共重合体樹脂が、メタロセン触媒を用いて合成された樹脂、または、密度が０．９１５以下の超低密度オレフィン樹脂によって構成され、防湿遮光袋が優れた防湿性、酸素バリア性を有し、かつ剛性が高く引き抜き性が向上し、さらに使用後の廃棄特性などにおいてもかさばらず十分な性能を有する。
【発明を実施するための最良の形態】
【００１５】
以下、この写真感光材料包装体の実施の形態について説明するが、この発明は、この実施の形態に限定されない。また、この発明の実施の形態は、発明の最も好ましい形態を示すものであり、この発明はこれに限定されない。
【００１６】
図１は写真感光材料包装材料の層構成を示す図である。この実施の形態の写真感光材料包装材料１は、最内層に設けられた遮光性物性と、滑剤と、酸化防止剤と、帯電防止剤とを含有するエチレン・α−オレフィン共重合体樹脂を主成分とする遮光性・滑性ポリオレフィン樹脂系フィルム層１１と、最外層に設けられたナイロンフィルム層１２と、遮光性・滑性ポリオレフィン樹脂系フィルム層１１とナイロンフィルム層１２との間に介在されたアルミニウム箔層１３とを有し、この写真感光材料包装材料１の総厚さＴが８５μｍ以下である。
【００１７】
この実施の形態の写真感光材料包装材料１ではアルミニウム箔層１３を用いることで、写真感光材料包装材料１は極めて高い防湿性、酸素バリア性を有するが、写真感光材料包装体として用いる時に、振動におけるピンホールの発生や引き抜き性において、問題が多いものであったがピンホールを防ぐために層厚を薄くすることで、引き抜き性が向上し、使用後のかさばりを抑えて廃棄特性などにおいても十分な性能を有する。
【００１８】
図２は写真感光材料包装体の断面図である。この実施の形態の写真感光材料包装体２０は、図１に示す写真感光材料包装材料１で形成された防湿遮光袋２１と、防湿遮光袋２１に収納された複数枚積重されたシート状熱現像写真感光材料２２とこのシート状熱現像写真感光材料２２を保護するトレー状の保護部材２３とを有する。トレー状の保護部材２３の構成を、図３に示す。
【００１９】
図３はトレー状の保護部材の斜視図である。この実施の形態のトレー状の保護部材２３は、保護壁２３ａ、保護部材本体２３ｂを有する。保護部材本体２３ｂに複数枚積重されたシート状熱現像写真感光材料２２が載置される。保護壁２３ａは保護部材本体２３ｂの４箇所に形成され、この保護壁２３ａで保護部材本体２３ｂに複数枚積重されたシート状熱現像写真感光材料２２を保持する。
【００２０】
図４は防湿遮光袋の平面図である。この実施の形態の防湿遮光袋２１は、１枚のシート状の写真感光材料包装材料１を両側部で折り返し、折り返した先端側を重ね合わせて中央部にヒートシール部２１ａを設けて閉じる。そして、開口する一方側１ａに複数の係合孔２１ｂを形成し、この係合孔２１ｂの周りにヒートシール部２１ｃを設け、さらにヒートシール部２１ｃの両側にヒートシール部２１ｄ，２１ｅを設けて閉じ、防湿遮光袋２１を作製する。この防湿遮光袋２１は、他方１ｂが開口しており、この開口からトレー状の保護部材２３に複数枚積重されたシート状熱現像写真感光材料２２を収納し、ヒートシール部２１ｆを設けて開口を閉じる、センターシール方式である。
【００２１】
図５は写真感光材料包装体からシート状熱現像写真感光材料を取り出す状態を示す図であり、図５（ａ）は巻き取り開始、図５（ｂ）は巻き取り途中、図５（ｃ）は巻き取り終了を示す。図５（ａ）の巻き取り開始では、写真感光材料包装体２０を装置にセットし、巻き取り軸３０を防湿遮光袋２１の係合孔２１ｂに係合する。その後、防湿遮光袋２１の巻き取り軸３０と反対側をカッター３１で切断して開口し、巻き取り軸３０を回転して防湿遮光袋２１を引き抜き方向Ａに引く。
【００２２】
図５（ｂ）の巻き取り途中では、巻き取り軸３０を回転することで、防湿遮光袋２１が巻き取り軸３０に巻き取られる。図５（ｃ）の巻き取り終了では、防湿遮光袋２１の全部が巻き取り軸３０に巻き取られると、シート状熱現像写真感光材料２２が防湿遮光袋２１から取り出される。
【００２３】
この写真感光材料包装体２０は、図４に示すように、写真感光材料包装材料１を用いてヒートシールにより袋状に形成された防湿遮光袋２１と、この防湿遮光袋２１に収納された複数枚積重されたシート状熱現像写真感光材料２２とを有し、防湿遮光袋２１のヒートシール部２１ａが、防湿遮光袋２１の引き抜き方向Ａに沿い、かつシート状熱現像写真感光材料２２の中央に対応して位置する。
【００２４】
この実施の形態の防湿遮光袋２１は、アルミニウム箔層１３を有する写真感光材料包装材料１を用いてヒートシールにより袋状に形成され、この防湿遮光袋２１は、優れた防湿性、酸素バリア性を有する。
【００２５】
また、アルミニウム箔層１３の厚みは７μｍ以上であり、優れた防湿性、酸素バリア性を有する。また、エチレン・α−オレフィン共重合体樹脂が、メタロセン触媒を用いて合成された樹脂、または、密度が０．９１５以下の超低密度オレフィン樹脂によって構成され、遮光性・滑性ポリオレフィン樹脂系フィルム層１１は、剛性が高く、かつ引き抜き性がよく、さらに使用後のかさばりを抑えることができる。
【００２６】
引き抜き性を向上させるために、写真感光材料包装材料１の内面の摩擦係数の低下のために滑剤の量の増加を行うことは白粉の発生などが起こり致命的な欠陥となってしまうが、図４に示すように、防湿遮光袋２１のヒートシール部２１ａが防湿遮光袋２１の引き抜き方向Ａに沿い、かつシート状熱現像写真感光材料２２の中央に対応して位置することによって、防湿遮光袋２１の内面の摩擦係数の低減なし、また強度の低下なしで引き抜き特性を向上させることができる。
【００２７】
また、防湿遮光袋２１を引き抜きシート状熱現像写真感光材料２２を取り出す際に、シート状熱現像写真感光材料２２がトレー状の保護部材２３により保護される。この防湿遮光袋２１と保護部材２３との摩擦係数が、０．１３μＤ以上であり、滑剤が入りすぎないようにすることで、巻取り式により防湿遮光袋を引き抜くときに、滑剤の白粉発生を防止することができる。また、滑剤が入りすぎないようにする同様の理由で、ヒートシール後にシール部が時間を経ても滑剤の影響などで強度が落ちることを防止することができる。
［実施例］
以下、写真感光材料包装体の実施例を説明する。写真感光材料包装材料の層構成を図６に示す。
（１）最外層が厚さ１５μｍ延伸ナイロンフィルム層
（２）中間層に７μｍのアルミニウム箔層（マット面を内側）
（３）２０μｍの低圧法ホモポリエチレン層、
（４）最内層に５０μｍのメタロセン重合によるエチレン−ヘキセン共重合樹脂にカーボンブラック（商品名ＰＥＸ９８６０２０束京インキ製）３重量％を遮光剤として用い、スリップ剤（ＢＢ３５出光石油化学製）として３重量％、帯電防止剤（商品名ＰＥＸ１３８５東京インキ製）３重量％からなる層
このフィルムを用いて、センターシール、そして、三方シールの防湿遮光袋を作成した。センターシールの防湿遮光袋は、図４に示す。三方シールの防湿遮光袋は、図７に示す。この三方シールの防湿遮光袋は、１枚のシート状の写真感光材料包装材料１を中央部で折り返し、折り返した先端側を重ね合わせヒートシール部２１ａを設けて閉じ、開口する一方側１ａに複数の係合孔２１ｂを形成し、この係合孔２１ｂの周りにヒートシール部２１ｃを設け、さらにヒートシール部２１ｃの両側にヒートシール部２１ｄ，２１ｅを設けて閉じ、防湿遮光袋２１を作製する。この防湿遮光袋２１は、他方１ｂが開口しており、この開口からトレー状の保護部材２３に複数枚積重されたシート状熱現像写真感光材料２２を収納し、ヒートシール部２１ｆを設けて開口を閉じている。
【００２８】
この防湿遮光袋を用いて、コニカミノルタエムジー株式会社ＭＥＤＩＣＡＬＦＩＬＭ３５×４３（１４×１７）半切を７３〜７４ｋｐａの内圧の真空写真感光材料包装体を作成した。これをコニカミノルタエムジー製ＤＲＹＰＲＯ７５２にトルク変換機（ＫＹＯＷＡ製、測定範囲２０ｋｇｆｍ）を取り付けた装置を用いて、この写真感光材料包装体から防湿遮光袋を巻き取る際の巻き取りトルクを測定した。結果、三方シールの防湿遮光袋の巻き取りトルク値が測定不能だったのに対してセンターシールの防湿遮光袋のトルク値は１１ｋｇｆｃｍであった。
【産業上の利用可能性】
【００２９】
この写真感光材料包装体は、写真感光材料包装材料を用いてヒートシールにより袋状に形成された防湿遮光袋と、この防湿遮光袋に収納された複数枚積重されたシート状熱現像写真感光材料とを有し、防湿遮光袋を引き抜いて複数枚積重されたシート状写真感光材料を取り出す引き抜き特性を向上させることが可能である。
【図面の簡単な説明】
【００３０】
【図１】写真感光材料包装材料の層構成を示す図である。
【図２】写真感光材料包装体の断面図である。
【図３】トレー状の保護部材の斜視図である。
【図４】防湿遮光袋の平面図である。
【図５】写真感光材料包装体からシート状熱現像写真感光材料を取り出す状態を示す図である。
【図６】実施例の写真感光材料包装材料の層構成を示す図である。
【図７】比較例の防湿遮光袋の平面図である。
【符号の説明】
【００３１】
１  写真感光材料包装材料
１１  遮光性・滑性ポリオレフィン樹脂系フィルム層
１２  ナイロンフィルム層
１３  アルミニウム箔層
２０  写真感光材料包装体
２１  防湿遮光袋
２１ａ  ヒートシール部
２２  シート状熱現像写真感光材料
２３  トレー状の保護部材
２３ａ  トレー状の保護部材２３の保護壁
２３ｂ  トレー状の保護部材２３の保護部材本体
【図１】
2005331850.tif 000003
【図２】
2005331850.tif 000004
【図３】
2005331850.tif 000005
【図４】
2005331850.tif 000006
【図５】
2005331850.tif 000007
【図６】
2005331850.tif 000008
【図７】
2005331850.tif 000009